(57)【特許請求の範囲】
【請求項１】
好ましいテレテキストページ番号を選択及び記憶するための方法であって、好ましいテレテキストページのために個別的に指定可能の、ある数のテレテキストページ番号（５３）が第１の手動式の制御命令によってメモリ（２０）の中に記憶され、好ましいテレテキストページが、記憶済みのテレテキストページ番号（群）をメモリ（２０）から呼出す第２の手動式の制御命令によって受像面に表示され、且つ
ａ）好ましいものとして分類されたテレテキストページ（７０）を呼出すステップと、
ｂ）１度のキー操作によって好ましいテレテキストページ番号（５３）のリストへ前記テレテキストページ（７０）に属するテレテキストページ番号（７１）を記憶するステップと、
ｃ）複数の好ましいテレテキストページ（７０）のテレテキストページ番号（７１）が記憶される必要がある場合にステップａ）及びｂ）を反復するステップ、を有するものにおいて、
光学式のメニュー案内が好ましいテレテキストページ番号（７１）及び／又はテレテキストページ（７０）を選択するために設けられており、表示領域（５０）の中に好ましいテレテキストページ番号（５３）とこれに関連する追加情報（５４）とが表示され、
１度のキー操作によって現在表示されている前記テレテキストページ（７０）のテレテキストページ番号（７１）が表示領域（５０）の中に取り込まれ、
追加情報（５４）は、所定のキャラクタ長さを有する文字列を現在表示されているテレテキストページ（７０）上でマークすることによって、表示領域（５０）の中に取り込まれること、を特徴とする方法。
【請求項２】
それぞれのテレテキストページ番号（７１）に帰属する現在のテレテキストページ（７０）が記憶される、請求項１に記載の方法。
【請求項３】
好ましいテレテキストページ番号（７１）のための表示領域（５０）が受像面上に表示されたテレテキストページ（７０）上にオーバレイすることが可能であり、少なくとも瞬間的に表示されたテレテキストページ（７０）の頭行（７２）が表示領域（５０）によって覆われることがない、請求項１又は２に記載の方法。
【請求項４】
リモートコントロールによってカーソル（６０）が表示領域（５０）で表示された複数のテレテキストページ番号（５３）に移動可能であり、キー操作によってカーソル（６０）によりマークされたページ番号（５３）に属するテレテキストページが次に受像面に表示される、請求項１乃至３のいずれかに記載の方法。
【請求項５】
表示領域（５０）が編集機能によって変化可能である、請求項１乃至４のいずれかに記載の方法。
【請求項６】
テレテキストデコーダ（１０）を有するビデオ装置を備えた請求項１乃至５のいずれかに記載の方法を実施するための装置であって、テレテキストデコーダ（１０）が不揮発性メモリ（２０）を有し、その中に好ましいテレテキストページに属するテレテキストページ番号（５３）と追加情報がそのキャラクタ長さに設定された文字列の形態で記憶可能であること、を特徴とする装置。
【請求項７】
ビデオ装置がテレビジョン受信機又はビデオレコーダである、請求項６に記載の装置。
【発明の詳細な説明】
【０００１】
本発明は、請求項１の序文の特徴による好ましいテレテキストページ番号を選択及び記憶するための方法と請求項６の序文の特徴による装置とに関する。
【０００２】
テレビジョン受信機及びビデオレコーダは今日しばしばテレテキスト信号を受信するためのテレテキストデコーダを有する。このテレテキスト信号は、テレビジョン信号の帰線消去期間で伝送され、且つ操作者が受像面に好適なキー操作によって個別的に呼出すことができる。このテレテキスト情報は、テレテキストページの形態で受像面に表示される。テレテキストページの受信は、ページ内容の提供時間内で様々な依存関係の影響下にある。つまり、通常のページはページサイクルのサイクル時間内に表示される。サブページが現われることはまれである。すなわち、サブページ数はページサイクルのサイクル時間と乗じられる。反復ページはページサイクルあたりの伝送数に依存する。ページ内容の提供時間は、さらにテレテキスト受信機のページ記憶容量に依存する。最終的に、この提供時間は、実時間で直接連続するページを直ちに記憶するテレテキストデコーダの性能にも依存する。
【０００３】
テレビジョン受信機内のテレテキストデコーダは、この間に１ページ及び約５００ページの間のページ記憶容量で作動する。
【０００４】
上述の提供時間を考慮して、ページ記憶容量に応じて、あるページサイクルの範囲内で様々な多数の通常ページ及びサブページを記憶することができる。
【０００５】
公知のテレテキストデコーダにおける問題点は、利用者にとって利用者の好ましいページが不充分な速さでのみ選択及び記憶できるという事実にある。操作者が最も興味のあるテレテキストページは「人気ページ」とも呼ばれる。基本的に、表示されるべきテレテキストページの選択は、操作者のページ要求（page request）によって行われる。その中に人気ページを含むこともできる。このような人気ページの指定は、通常、操作者によって、例えばテレビジョン受信機のリモートコントロールによって行われる。
【０００６】
このような好ましいテレテキストページ番号若しくはテレテキストページの選択及び記憶は、従来煩雑なキー操作によってリモートコントロールで活性化される。その場合にカーソルキーにより、テレテキストページ番号の数字つまり１００の位、１０の位、１の位、サブコード、時間１０の位、時間１の位、分１０の位及び分１の位のための入力命令の選択が行われる。必要な数字の入力後、操作者が入力終了キーによって、この操作者に人気のあるテレテキストページ番号の入力を場合によりサブコード番号を含み確認し、最終的に終了しなければならない。この過程は操作者が望む人気ページの数に応じて繰返される。今日公知のテレテキストデコーダにおいて、特に人気ページのページ番号の表示に提供されるスペースのために受像面上には単に最大４つの人気ページのページ番号をディスプレイで選択するために提供する可能性が与えられているだけである。
【０００７】
ここで本発明が始まる。
【０００８】
操作者によって個別的に指定可能の好ましいテレテキストページ番号が簡単な、見渡し易く且つ迅速な方法で選択可能且つ記憶可能である方法及び装置が提供される。本発明は、それによって操作者により、操作者が最も興味のある好ましいと感じるテレテキストページの選択を実行する目的も有する。
【０００９】
この課題は、請求項１の特徴による方法及び請求項６の特徴による装置のために解決される。
【００１０】
つまり、本発明は、本質的に好ましいものとして分類されたテレテキストページがまず初めに受像面に表示するために操作者によって呼出されることに基づいている。それに続き、現在表示されているこのテレテキストページに属するページ番号が１度のキー操作によって好ましいページ番号のリストに記憶される。複数の好ましいものとして分類されたテレテキストページが操作者により将来的に見られることが望まれる場合、上述の２つのステップが帰属するテレテキストページ番号の呼出によって繰返されなければならない。
【００１１】
その場合、特に優雅に光学式のメニュー案内を実現することができ、好ましいページ番号はオーバレイされた現在のテレテキストページに重畳された表示領域に表示される。
【００１２】
人気のあるテレテキストページ番号に付加的に、追加情報を表示領域に表示することができる。この追加情報は、そのキャラクタ長さに設定された文字列のマークによって表示したテレテキストページで表示領域の中に取り込まれることが可能である。
【００１３】
現在表示されているテレテキストページ上への表示領域のオーバレイにおいて、少なくとも現在表示されているテレテキストページの頭行（ヘッダ）及び脚行が重ならないことが重要である。従って、これは人気があるとされる別のテレテキストページを呼出す際に、頭行がそこに表示されたページ番号と重ならないことを阻止するために必要である。
【００１４】
目的に応じて表示領域（ブラウザーウィンドウ）がキー操作によってオーバレイ及びブランクアウト可能に構成される。
【００１５】
本発明の好ましい継続形成において、表示領域はオーバレイ及びブランクアウト可能であるいわゆるリストモードを含むことができる。このリストモードの機能は、テレテキストページが通常のテレテキストモードにおけるように選択できることにある。これは、要求するテレテキストページが数字入力、ページ＋／−によって又はタブキー入力によって要求されるという意味である。このテレテキストページは、その場合に表示領域の背後に現われる。利用者はこのようにテレテキストのページ内容の情報を得ることができ又は表示領域のブランクアウトによってテレテキストページの全てのページ内容を見ることができる。
【００１６】
表示領域にはテレテキストページ番号が簡略記憶による追加情報（例えば表題）を付けて表示される。表示領域内の挿入マーク（カーソル）の位置決めによって新しいページ番号エントリの位置が指定される。このページ番号エントリは、ここで簡単にこの機能に割当てられたページ番号引受キーを押すことによって行われ、そのページ番号はテレテキストウィンドウに表示されたページのページ番号である。この方法は、通常ページ及びサブページに適用することができる。
【００１７】
簡略記憶による追加情報は、任意にキャラクタ長さによって制限された文字列のマークによってテレテキストモードで指定される。これはページ番号引受キーの操作によって現在の表示領域に取り込まれる。例えば選択、検索、消去、スクロール、……、のような編集機能は、表示領域の中でその領域とその内容にソフトウエア制御されて使用することができる。好ましいテレテキストページは、その場合に表示領域に表示されたページ番号をマークするカーソルの操作とそれに続く１つのキー操作とによって受像面に表示することができる。
【００１８】
本発明は、以下３つの図面との関連でより詳しく説明する。
【００１９】
第１図に、集積されたテレテキストデコーダ-モジュール１０のブロック図を示している。このテレテキストデコーダ-モジュールは、例えばメガ-テキスト-ファミリＳＤＡ５２７３若しくはＳＤＡ５２７５又はＴＶＴＥＸＴファミリＳＤＡ５２５ｘの集積回路とすることができる。これらの集積回路は全て本出願人から出されている。具体的に第１図に示した集積されたテレテキストデコーダ-モジュール１０は、集積回路ＳＤＡ５２５０のブロック図に相当する。このテレテキストデコーダ-モジュール１０の構造及び機能方式は、すでに公表されている本出願人のデータシートとユーザーマニュアルの中に詳細に記載されているため、ここではこの公知のテレテキストデコーダ-モジュール１０の構造と機能方式
について詳述しない。
【００２０】
公知のテレテキストデコーダ-モジュール１０の構成要素は、ビデオ信号からテレテキスト信号を分離するＶＴＸ／ＶＰＳスライサー１２である。中央制御装置１１（ＣＰＵ）は、この分離されたテレテキスト信号の適時処理を行う。この制御装置１１は、そのために種々のメモリユニット１６に接続されている。制御装置１１によって処理されたテレテキスト信号は、最終的にディスプレイ発生器１３を介して、テレビジョン受信機の受像面に表示されるためにテレテキストデコーダ-モジュール１０の出力に到達する。
【００２１】
本発明に従って、自体公知のテレテキストデコーダ-モジュール１０の制御装置１１は、接続回線１４を介して不揮発性メモリ２０に接続されている。この不揮発性メモリ２０の中には本発明に従って操作者に好ましいテレテキストページ番号と自由選択式の、関連する追加情報とのためのテレテキストページ番号が記憶される。不揮発性メモリ２０は、テレビジョン受信機又はビデオレコーダの遮断時でも操作者によってあらかじめ入力された好ましいテレテキストページ番号と必要な場合に追加情報とがテレビジョン受信機のスイッチ投入後に再び使用できる長所を有する。接続回線１４は、例えばＩ2Ｃバスによってテレテキストデコーダ-モジュール１０の中央制御装置１１に接続される。さらに、テレテキストデコーダ-モジュール１０は、接続回線２２を介してテレテキストデコーダ-モジュール１０の記憶装置１６に接続されたＳＲＡＭ３０を有する。このＳＲＡＭ３０は、多数（例えば１００）のテレテキストページの記憶に利用され、テレテキストページアドレスを含む。ＳＲＡＭ３０の中には、受信したテレテキストページアドレスがファイルされている。このテレテキストページアドレスには、利用者が好ましいテレテキストページ番号の取り込みのためにコマンドを入力する場合にアクセスされる。
【００２２】
第２図に、本発明が提案するように、好ましいテレテキストページ番号を選択及び記憶するためのメニュー制御式の方法のための表示領域５０（＝ブラウザーウィンドウ）の一例を示している。表示領域５０は、頭行５１と脚行５２を有する。その中間には好ましいテレテキストページ番号５３のリストが挿入されている。この好ましいテレテキストページ番号５３は、操作者によってさらに後で説明する方法で表示領域５０に記入される。好ましいテレテキストページ番号５３の右横には追加情報５４を表示することができる。それによって、それぞれの好ましいテレテキストページ番号５３に操作者が見出語式に好ましいテレテキストページ番号５３に属するテレテキストページの内容を知らされる短情報が表示される。つまり、表示領域５０の観察者は、例えば好ましいテレテキストページ番号６８８に株式市場情報を表示するテレテキストページが属することを理解する。帰属する好ましいテレテキストページ番号５３のテレテキストページを選択するために、表示領域５０にここでバー状に形成したカーソル６０を設けている。このカーソル６０は、垂直に表示領域５０の中で１つの行から別の行へ移動可能である。カーソル６０が好ましいテレテキストページ番号上にある場合、これは残余のテレテキストページ番号に対して例えば別の色で表示される。操作者が次にテレビジョン受信機のリモートコントロールであるキーを操作したとき、カーソル６０によってマークされた好ましいテレテキストページ番号が選択され、対応するテレテキストページが次のステップで受像面に表示される。
【００２３】
第３図に、テレテキストページ７０が完全に表示されたテレビジョン受信機の受像面を例示している。このテレテキストページ７０の頭行７２の中には、帰属するテレテキストページ番号７１（ここではテレテキストページ番号３００）がオーバレイされている。このテレテキストページ７０の上に第２図との関連ですでに説明した表示領域５０がオーバレイされている。表示領域５０の頭行５１は、テキスト“ＴＴｘブラウザーウィンドウ"を引き受ける。好ましいテレテキストページ番号５３として、テレテキストページ番号３０１、３９８、２００、６００、１０１及び６８８がオーバレイされている。この好ましいテレテキストページ番号５３のそれぞれは、１つの追加情報を備えている。表示領域５０の脚行５２は、テキスト“ＯＫ＝進む、赤＝引受”を備えている。バー状に形成されたカーソル６０は、好ましいテレテキストページ番号２００が追加情報“スポーツ”にオーバレイされている行にある。さらに、受像面上では左半分がマークされていることを識別できる。このテレテキストページ７０のマークは、簡略記憶エントリとして表示領域５０の中の追加情報に関係させることができる。
【００２４】
さらに、好ましいテレテキストページ番号を選択及び記憶するための機能方式は次のとおりである：
【００２５】
操作者がリモートコントロールで初めに従来の方法で追加情報を、それに属するテレテキストページを呼出すために例えば数字３００を押す。このテレテキストページ３００が受像面に表示される。操作者がこのテレテキストページを将来的に好ましいテレテキストページとして呼出すことを望むとき、つまりより速く呼出すことを望むとき、当該操作者はそのために設けられたキーで、これがまだ受像面にオーバレイされていない場合、リモートコントロールで表示領域５０をオーバレイする。オーバレイされた表示領域５０では、操作者が好ましくはまだ別のキーを介してリモートコントロールですでに記憶された好ましいテレテキストページ番号のリストを表示する必要があるか否かを決定することができる。呼出したテレテキストページ３００は、表示領域５０のオーバレイ後に、第３図に示したように、その表示領域の背後にある。表示領域内の挿入マーク、例えばバー状のカーソルの位置決めによって、新しいテレテキストページ番号エントリの位置が指定される。このテレテキストページ番号のエントリは、その場合に簡単にこの機能に割当てられたキーを押すことによってリモートコントロールで行われる。キーが押されると、表示領域５０の対応する領域にテレテキストページ番号３００がオーバレイされる。
【００２６】
簡略記憶による追加情報を好ましいテレテキストページ番号のほかに表示する必要がある場合、この追加情報は任意のキャラクタ長さに制限された文字列のマークによってテレテキストモードで指定することができる。これはページ番号引受キーの操作によって現在の表示領域５０の中に取り込まれる。例えば選択、検索、消去、スクロール等のような編集機能は、表示領域５０の中でその領域とその内容に使用することができる。１つのテレテキストページは、その場合にテレテキストページ番号のマークによって及びキー入力による操作によって表示することができる。
【図面の簡単な説明】
【図１】  不揮発性メモリ分を拡張した本出願人のＳＤＡ５２５ｘ型の公知のテレテキストデコーダのブロック図。
【図２】  人気のあるテレテキストページ番号とこれに関連する追加情報の受像面上の光学式表示のための表示領域の例示構成を示す図。
【図３】  本発明による方法の適用による受像面表示の一例を示す図。
【図１】
0004416328.tif 000002
【図２】
0004416328.tif 000003
【図３】
0004416328.tif 000004